(57)【特許請求の範囲】
【請求項１】
撮像装置と、撮像装置による撮影画像を表示する画像表示装置と、撮像装置によって撮影した画像を記録媒体に記録する画像記録回路とを具えた画像撮影装置において、  撮像装置による動画撮影中に、記録媒体に記録されている１或いは複数の画像の縮小画像を、画像表示装置の子画面内に表示する縮小画像表示手段と、  撮像装置による動画撮影中に、ユーザ操作に応じて、画像表示装置に表示される縮小画像の中から１或いは複数の画像を選択する画像選択手段と、  撮像装置による動画撮影中に、記録媒体の記録残容量を確認して、記録残容量が所定値を下回ったとき、前記ユーザ操作に応じて選択された１或いは複数の画像を対象として、記録媒体から順次削除する動作を行なう画像削除手段とを具え、 前記縮小画像表示手段は、複数の画像の縮小画像を順次表示する過程で、ユーザ操作によって指定された１つの画像を子画面全体に表示し、その後のユーザ操作によって該画像の選択／非選択が行なわれることを特徴とする画像撮影装置。
【請求項２】
前記縮小画像表示手段は、ユーザ操作に応じて、複数の画像の縮小画像を撮影日時の古い順に表示するものである請求項１に記載の画像撮影装置。
【請求項３】
前記縮小画像表示手段は、ユーザ操作によって指定された１つの画像について、そのファイル情報を子画面内に表示する請求項１に記載の画像撮影装置。
【請求項４】
前記縮小画像表示手段は、前記複数の画像に含まれる動画については、ユーザ操作によって指定された動画をコマ送りによって表示する請求項１に記載の画像撮影装置。
【請求項５】
前記画像選択手段は、ユーザ操作によって選択された画像を削除対象ファイルとして、削除対象ファイル名リストに登録するものである請求項１乃至請求項４の何れかに記載の画像撮影装置。
【請求項６】
前記画像削除手段は、記録媒体の記録残容量が所定値を下回ったとき、記録媒体に記録されている複数の画像の中で所定の規則に従う１つの画像を削除する請求項１乃至請求項５の何れかに記載の画像撮影装置。
【請求項７】
前記画像削除手段は、記録媒体の記録残容量が所定値を下回ったとき、削除対象ファイル名リストにファイル名が登録されている画像を、撮影日時の古い順に削除すると共に、削除した画像のファイル名を削除対象ファイル名リストから削除する請求項５に記載の画像撮影装置。
【請求項８】
前記画像削除手段は、記録媒体の記録残容量が所定値を下回ったとき、削除対象ファイル名リストにファイル名が登録されている画像を、その登録順に削除すると共に、削除した画像のファイル名を削除対象ファイル名リストから削除する請求項５に記載の画像撮影装置。
【請求項９】
撮像装置による動画撮影の終了後、削除対象ファイル名リストをクリアする手段を具えている請求項５、請求項７又は請求項８の何れかに記載の画像撮影装置。
【発明の詳細な説明】
【技術分野】
【０００１】
本発明は、動画撮影の可能なデジタルカメラ等の画像撮影装置に関するものである。
【背景技術】
【０００２】
デジタルカメラにおいては、静止画や動画等の撮影画像をＩＣカードなどの記録媒体に記録することが可能となっているが、動画は静止画に比べてデータ容量が大きいため、動画の撮影中に記録媒体の記録残容量が少なくなって、撮影が中断する虞がある。
【０００３】
従来、記録媒体に容量不足が発生したときに記録容量を確保する方法としては、デジタルカメラにおいて、削除対象の音声ファイルを再生し、ユーザに対してその音声ファイルを削除することについて確認を求める技術(特許文献１)や、放送番組の記録装置において、記録媒体に空き領域がないとき、最も優先順位の低い放送番組データが記録された領域に、新たな放送番組データを記録する技術(特許文献２)が知られている。
【特許文献１】特開２００２−１６２９９７号公報［G10L19/00］
【特許文献２】特開２００３−２３５９８号公報［H04N5/91］
【発明の開示】
【発明が解決しようとする課題】
【０００４】
しかしながら、音声ファイルの削除によって容量を確保するデジタルカメラでは、動画を撮影する前に、予め音声ファイルを再生して、不要な音声ファイルを削除しておかねばならず、予期せぬ長時間の動画撮影において容量不足が発生したときは、最早対処することが出来ない。又、最も優先順位の低い放送番組データが記録された領域に新たな放送番組データを記録する技術をデジタルカメラに応用したとしても、削除対象となる画像に予め優先順位を付与しておかねばならず、その操作を失念した場合は、動画撮影が中断する虞がある。
【０００５】
そこで本発明の目的は、動画の撮影中に記録媒体の容量不足が発生したとしても、動画の撮影を継続することが出来る、画像撮影装置を提供することである。
【課題を解決するための手段】
【０００６】  本発明に係る画像撮影装置は、撮像装置と、撮像装置による撮影画像を表示する画像表示装置と、撮像装置によって撮影した画像を記録媒体に記録する画像記録回路と、画像記録回路の動作を制御する制御回路とを具えている。  ここで、制御回路は、  撮像装置による動画撮影中に、記録媒体に記録されている１或いは複数の画像の縮小画像を、画像表示装置の子画面内に表示する縮小画像表示手段と、  撮像装置による動画撮影中に、ユーザ操作に応じて、画像表示装置に表示される縮小画像の中から１或いは複数の画像を選択する画像選択手段と、  撮像装置による動画撮影中に、記録媒体の記録残容量を確認して、記録残容量が所定値を下回ったとき、前記ユーザ操作に応じて選択された１或いは複数の画像を対象として、記録媒体から順次削除する画像削除手段とを具えている。 更に、前記縮小画像表示手段は、複数の画像の縮小画像を順次表示する過程で、ユーザ操作によって指定された１つの画像を子画面全体に表示し、その後のユーザ操作によって該画像の選択／非選択が行なわれる。 該具体的構成によれば、ユーザ操作によって指定された１つの画像が子画面全体に表示されるので、その画像の削除の要否を正確に判断することが出来、誤削除を防止することが出来る。【０００７】
上記本発明の画像撮影装置によれば、動画撮影中に、記録媒体の残容量の大小に拘わらず、動画が映し出されている画像表示装置の画面に、子画面として、既に撮影済みの１或いは複数の画像(静止画及び／又は動画)の縮小画像が表示されるので、ユーザは、その中から削除対象の画像を選択する操作を行なう。これによって、記録媒体に記録されている複数の画像の中から、１或いは複数の画像が削除対象として選択されることになる。
その後、動画撮影中に、記録媒体の残容量が所定値を下回ったときは、前記選択された１或いは複数の画像が順次削除され、これによって記録媒体の残容量が拡大されるので、動画の撮影を継続することが出来る。
【０００８】
具体的構成において、前記縮小画像表示手段は、ユーザ操作に応じて、複数の画像の縮小画像を撮影日時の古い順に表示するものである。
該具体的構成によれば、ユーザは、撮影日時の古い順に削除対象画像を選択することが出来る。
【００１０】
又、他の具体的構成において、前記縮小画像表示手段は、ユーザ操作によって指定された１つの画像について、そのファイル情報を子画面内に表示する。
該具体的構成によれば、ユーザは、撮影日時などのファイル情報を参酌して、その画像の削除の要否を容易に判断することが出来る。
【００１１】
又、他の具体的構成において、前記縮小画像表示手段は、前記複数の画像に含まれる動画については、ユーザ操作によって指定された動画をコマ送りによって表示する。
これによって、ユーザは、動画についての削除の要否を容易に判断することが出来る。
【００１２】  更に他の具体的な構成において、前記画像選択手段は、ユーザ操作によって選択された画像を削除対象ファイルとして、削除対象ファイル名リストに登録するものである。  そして、前記画像削除手段は、記録媒体の記録残容量が所定値を下回ったとき、削除対象ファイル名リストにファイル名が登録されている画像を、撮影日時の古い順に削除すると共に、削除した画像のファイル名を削除対象ファイル名リストから削除する。或いは、削除対象ファイル名リストにファイル名が登録されている画像を、その登録順に削除すると共に、削除した画像のファイル名を削除対象ファイル名リストから削除する。  該具体的構成によれば、削除対象ファイルを撮影日時の順或いは登録順に自動的に削除し、記録媒体の残容量を拡大することが出来る。  尚、動画撮影終了時点で削除対象ファイル名リストにファイル名が残ったままであれば、削除対象ファイル名リストのみをクリアし、削除対象画像は削除しないため、削除対象画像は復活することになる。
【発明の効果】
【００１３】
本発明に係る画像撮影装置によれば、動画の撮影中に記録媒体の容量不足が発生したとしても、動画の撮影を継続することが出来る。
【発明を実施するための最良の形態】
【００１４】
以下、本発明をデジタルカメラに実施した形態につき、図面に沿って具体的に説明する。
本発明に係るデジタルカメラは、図１に示す如く、撮像装置となるＣＣＤ(２)と、ＣＣＤ(２)によって撮影された画像に必要な画像処理を施す第１画像処理回路(３)と、操作キーなどの入力装置(５)と、撮影された画像(静止画及び動画)を記録するＩＣカード(６)と、撮影された画像に子画面等の画像を合成する画像合成回路(８)と、画像合成回路(８)から得られる画像を表示するＬＣＤ(９)と、入力装置(５)の操作に応じて各種の制御動作を実行する制御回路(１)と、制御回路(１)による制御に必要なデータを格納すべきＲＡＭ(７)と、ＩＣカード(６)に記録されている画像の再生に必要な画像処理を実行する第２画像処理回路(４)とを具えている。
【００１５】  制御回路(１)は、ＣＣＤ(２)による動画撮影中に、ＩＣカード(６)に記録されている複数の画像の縮小画像(サムネイル画像)をＬＣＤ(９)の子画面内に表示する機能と、ＣＣＤ(２)による動画撮影中に、入力装置(５)に対するユーザ操作に応じて、ＬＣＤ(９)に表示される縮小画像の中から１或いは複数の画像を選択する機能と、ＣＣＤ(２)による動画撮影中に、ＩＣカード(６)の記録残容量を確認して、記録残容量が所定値を下回ったとき、前記ユーザ操作に応じて選択された１或いは複数の画像をＩＣカード(６)から削除する機能とを有しており、これらの機能を図２〜図５に示す処理によって実現している。【００１６】
図２及び図３は、電源がオンとなったときにデジタルカメラが実行する処理を示しており、先ず図２のステップＳ１では、ユーザが動画の撮影を開始するためのキー操作を行なったか否かを判断し、イエスと判断されたときは、ステップＳ２に移行して、動画の撮影を行なうための初期化処理を行なうと共に、後述のファイル削除処理タスクを起動する。
【００１７】
次にステップＳ３では、ＣＣＤ(２)から撮像素子データを取り込んで第１画像処理回路(３)へデータを転送し、ステップＳ４にて画像データに対する信号処理、ステップＳ５にて圧縮処理を実行した後、ステップＳ６では、ＩＣカード(６)の空き容量が所定の一定量よりも少なくなったか否かを判断する。
そして、ステップＳ６にてノーと判断されたときは、図３のステップＳ８に移行する。これに対し、図２のステップＳ６にてイエスと判断されたときは、ステップＳ６′へ移行し、削除対象ファイルリストに登録が有るか否かを判断する。
登録があるときは、ステップＳ７に移行し、後述の削除対象ファイル名リストに登録されている削除対象ファイル名の順に、ファイルを１つ削除すると共に、そのファイル名を削除対象ファイル名リストから削除した後、図３のステップＳ８に移行する。又、図２のステップＳ６′でノーと判断されたときは、図３のステップＳ８に移行する。
【００１８】
図３のステップＳ８では、ファイルの削除に伴ってＩＣカード(６)に生じる空き容量の増大分を動画撮影時間に換算して、動画撮影を続けることが可能な動画撮影時間を更新する。
続いてステップＳ９では、第１画像処理回路(３)による画像処理の施された画像データをＩＣカード(６)に記録する処理を実行する。
次にステップＳ９′では、カードに空き容量が有るか否かを判断し、ここでノーと判断されたときはステップＳ１０′に移行して、動画撮影動作を停止する。一方、イエスと判断されたときは、ステップＳ１０に移行する。
【００１９】
ステップＳ１０では、ユーザが動画撮影を終了するための操作を行なったか否かを判断し、ここでノーと判断されたときは、図２のステップＳ３に戻って、撮像素子データの取り込み、転送を繰り返す。
一方、図３のステップＳ１０にてイエスと判断されたときは、ステップＳ１０′にて動画撮影動作を停止した後、図２のステップＳ１に戻って、ユーザによる動画撮影開始操作に待機する。
【００２０】
図４及び図５は、前記ファイル削除処理タスクの手続きを表わしており、先ず図４のステップＳ１１にて、ユーザの操作によって子画面の表示が指示されたか否かを判断し、ここでイエスと判断されたときは、ステップＳ１２に移行して、ＩＣカード(６)に記録されている全ての画像(静止画及び動画)を対象として、これらの画像の縮小画像(サムネイル画像)を撮影日時の古い順に列べ、動画映出中の画面の角部に設けた子画面内に、これらの縮小画像を表示する。
例えば、図６(ａ)に示す動画「Ａ」の撮影中に、前記第２画像処理回路(４)と画像合成回路(８)の動作によって、図６(ｂ)の如く動画「Ａ」の画面領域の角部に、複数(４枚)の縮小画像「Ｂ」「Ｃ」「Ｄ」「Ｅ」からなる子画面を表示する。
【００２１】
次に図４のステップＳ１３では、ユーザ操作によって、子画面に表示されている複数の縮小画像(サムネイル画像)のページ更新が指示されたか否かを判断し、ここでノーと判断されたときは、ステップＳ１５に移行する。
これに対し、ステップＳ１３にてイエスと判断されたときは、ステップＳ１４にて、子画面に次の複数の縮小画像を表示する画像表示更新を行なって、他の縮小画像の表示を行なった後、ステップＳ１５に移行する。
【００２２】
ステップＳ１５では、子画面に表示されている複数の縮小画像の内、１つの縮小画像を指定して、該縮小画像を子画面全体に表示するためのユーザ操作が行なわれたか否かを判断する。
ここでノーと判断されたときはステップＳ１１に戻って、ユーザによる子画面表示指示に待機する。
【００２３】
これに対し、ステップＳ１５にてイエスと判断されたときは、ステップＳ１６に移行して、前記指定された縮小画像を子画面全体に表示した後、ステップＳ１７では、その縮小画像について撮影日時などの詳細を確認するためのユーザ操作が行なわれたか否かを判断し、ここでノーと判断されたときは、図５のステップＳ１９に移行する。
【００２４】
一方、図４のステップＳ１７にてイエスと判断されたときは、ステップＳ１８にて、前記指定された縮小画像について撮影日時などを含むファイル情報を子画面に表示した後、図５のステップＳ１９に移行する。
例えば図６(ｂ)の例で子画面の中から１つの縮小画像「Ｂ」が指定された場合、図６(ｃ)の如く、該縮小画像「Ｂ」を子画面全体に表示した後、その子画面内に該縮小画像「Ｂ」の撮影日時を表示する。
【００２５】
その後、図５のステップＳ１９では、前記指定された画像が動画の場合に、その動画ファイルの内容を確認するためのユーザ操作が行なわれたか否かを判断し、ここでノーと判断されたときはステップＳ２１に移行する。
これに対し、ステップＳ１９にてイエスと判断されたときは、ステップＳ２０にて、その動画をコマ送り(又はコマ戻し)再生して子画面に表示した後、ステップＳ２１に移行する。
【００２６】
ステップＳ２１では、子画面に表示された１つの画像(静止画又は動画)をユーザが削除対象として選択する操作を行なったか否かを判断し、ここでノーと判断されたときは、図４のステップＳ１１に戻って、ユーザによる子画面表示指示に待機する。
一方、図５のステップＳ２１にてイエスと判断されたときは、ステップＳ２２にて、子画面に表示された１つの画像(静止画又は動画)のファイル名を削除対象ファイル名リストに追加した後、図４のステップＳ１１に戻って、ユーザによる子画面表示指示に待機する。ここで、削除対象ファイル名リストは、削除対象として選択された複数の画像(静止画及び動画)のファイル名を、撮影日時の古い順に列べて登録したものであって、前記ＲＡＭ(７)に格納されている。
【００２７】
上述の処理によれば、動画撮影中に、ＩＣカード(６)の空き容量が少なくなって、図２のステップＳ６にてイエスと判断されたとき、ステップＳ７にて、削除対象ファイル名リストに登録されている複数の画像の内、最も撮影日時の古い画像から順番に、ファイルの削除が実行され、これによってＩＣカード(６)の空き容量の拡大が図られるので、動画撮影を継続して行なうことが出来る。
撮影日時の古い順にファイルを削除する方法に替えて、ファイルの登録順に削除する方法を採用することも可能である。
【００２８】
尚、動画撮影終了時点で削除対象ファイル名リストにファイル名が残っている画像は、一旦、削除対象としたものであるが、動画撮影が終了したことによりＩＣカード(６)からは削除されていないので、復活した状態となる。従って、画像の削除は、動画撮影を継続するために必要な最小限の削除で済む。
【図面の簡単な説明】
【００２９】
【図１】本発明に係るデジタルカメラの構成を示すブロック図である。
【図２】該デジタルカメラにおける電源オン時の処理の前半を示すフローチャートである。
【図３】同上の処理の後半を示すフローチャートである。
【図４】該デジタルカメラにおけるファイル削除処理タスクの前半を示すフローチャートである。
【図５】同上のタスクの後半を示すフローチャートである。
【図６】動画撮影中の子画面の表示例を示す図である。
【符号の説明】
【００３０】
(１)  制御回路
(２)  ＣＣＤ
(３)  第１画像処理回路
(４)  第２画像処理回路
(５)  入力装置
(６)  ＩＣカード
(７)  ＲＡＭ
(８)  画像合成回路
(９)  ＬＣＤ
【図１】
0004730542.tif 000002
【図２】
0004730542.tif 000003
【図３】
0004730542.tif 000004
【図４】
0004730542.tif 000005
【図５】
0004730542.tif 000006
【図６】
0004730542.tif 000007